(57)【要約】【課題】趣味感を満足させ、また商品として従来にない付加価値をつけたカブトムシ，クワガタムシ等の昆虫の提供。また、その模様づけ方法の提供。【解決手段】(i)カブトムシ，クワガタムシ等の昆虫の外骨格表面の所要箇所の油分を拭き取り、その後、(ii)その油分を拭き取った箇所に、アクリル絵の具等の塗料を用いて所望の模様を描き、これを乾燥させて塗料層５…を形成し、(iii)その塗料層５…の上に保護被膜形成剤を塗布し、これを乾燥させて保護被膜層７を形成する昆虫の模様づけ方法。その方法で模様づけしてなる昆虫。【選択図】図２  
2005052064.tif 000002
【特許請求の範囲】
【請求項１】
(i)カブトムシ，クワガタムシ等の昆虫の外骨格表面の所要箇所の油分を拭き取り、その後、(ii)その油分を拭き取った箇所に、アクリル絵の具等の塗料を用いて所望の模様を描き、これを乾燥させて塗料層を形成し、(iii)その塗料層の上に保護被膜形成剤を塗布し、これを乾燥させて保護被膜層を形成することを特徴とするカブトムシ，クワガタムシ等の昆虫の模様づけ方法。
【請求項２】
(i)カブトムシ，クワガタムシ等の昆虫の外骨格表面の所要箇所の油分を拭き取り、その後、(ii)その油分を拭き取った箇所に、アクリル絵の具等の塗料を用いて所望の模様を描き、これを乾燥させて塗料層を形成し、(iii)その塗料層の上につや出し剤を塗布し、これを乾燥させてつや出し層を形成し、さらに、(iv)そのつや出し層の上に保護被膜形成剤を塗布し、これを乾燥させて保護被膜層を形成することを特徴とするカブトムシ，クワガタムシ等の昆虫の模様づけ方法。
【請求項３】
上記模様が文字，図形，記号等からなるものであることを特徴とする請求項１または２記載のカブトムシ，クワガタムシ等の昆虫の模様づけ方法。
【請求項４】
請求項１，２または３記載の方法により模様づけをしてなることを特徴とするカブトムシ，クワガタムシ等の昆虫。
【発明の詳細な説明】
【技術分野】
【０００１】
本発明は、カブトムシ，クワガタムシ等の昆虫の模様づけ方法およびこれにより模様づけをした昆虫に関する。
【背景技術】
【０００２】
従来より、カブトムシ，クワガタムシ等の昆虫が飼育用，鑑賞用に広く販売されており、それらは大型のもの，良形のもの，あるいは希少な種であるほど価値が高くなり、非常に高額で取引されているものさえある。
【０００３】
しかし、それらの価値はあくまでも、体の大きさとか，形の善し悪し、あるいはどの程度希少な種であるかといった、各個体のもつ特徴のみによって判断されているのが実情であり、昆虫に何らかの加工をして付加価値をつけたようなものは従来全く見られず、またそのようなことを示唆する先行技術文献等も発見できない。
【発明の開示】
【発明が解決しようとする課題】
【０００４】
そこで、本発明は、所望の模様づけをすることにより、趣味感を満足させ、また商品として従来にない付加価値をつけたカブトムシ，クワガタムシ等の昆虫を提供すること、および、その模様づけ方法を提供することを目的とする。
【課題を解決するための手段】
【０００５】
請求項１記載の本発明カブトムシ，クワガタムシ等の昆虫の模様づけ方法は、(i)カブトムシ，クワガタムシ等の昆虫の外骨格表面の所要箇所の油分を拭き取り、その後、(ii)その油分を拭き取った箇所に、アクリル絵の具等の塗料を用いて所望の模様を描き、これを乾燥させて塗料層５…を形成し、(iii)その塗料層５…の上に保護被膜形成剤を塗布し、これを乾燥させて保護被膜層７を形成するものである。
【０００６】
請求項２記載の本発明は、(i)カブトムシ，クワガタムシ等の昆虫の外骨格表面の所要箇所の油分を拭き取り、その後、(ii)その油分を拭き取った箇所に、アクリル絵の具等の塗料を用いて所望の模様を描き、これを乾燥させて塗料層５…を形成し、(iii)その塗料層５…の上につや出し剤を塗布し、これを乾燥させてつや出し層６を形成し、さらに、(iv)そのつや出し層６の上に保護被膜形成剤を塗布し、これを乾燥させて保護被膜層７を形成するものである。
【０００７】
請求項３記載の本発明は、上記模様が文字，図形，記号等からなる請求項１または２記載のカブトムシ，クワガタムシ等の昆虫の模様づけ方法である。
【０００８】
請求項４記載の本発明は、請求項１，２または３記載の方法により模様づけをしてなるカブトムシ，クワガタムシ等の昆虫である。
【発明の効果】
【０００９】
本発明は、カブトムシ，クワガタムシ等の昆虫に所望の模様づけをしているので、これにより飼育者や鑑賞者の趣味感を満足させることができ、商品価値も高いものである。また、模様としてたとえば複数の文字からなる標語やスローガンを描くことにより従来にない付加価値を与えることができる。
【発明を実施するための最良の形態】
【００１０】
以下には、本発明を実施例により説明するが、本発明はこれに限定されるものではない。
【実施例１】
【００１１】
図１〜４に示したのは雄のカブトムシＡで、それは、頭角部１，前胸背板部２、小盾板部３および上翅部４，４等からなる茶褐色や黒褐色の外骨格を有し、また、その外骨格の表面は多少の油分で被覆された状態になっている。
【００１２】
このカブトムシへの模様づけは、以下の手順によって行われる。
【００１３】
＜手順１：油分の拭き取り＞
まず、カブトムシの上記外骨格表面の、少なくとも模様づけをする箇所、たとえば上翅部４，４の表面の油分を脱脂綿等で取り除く。これは、後記の塗料をはじいてしまう油分を予め取り除いておくことによって、その塗料を確実に外骨格表面に付着させるようにするためである。
【００１４】
＜手順２：塗料層の形成＞
上記の油分を拭き取った箇所に、文字，図形，記号等からなる所望の、たとえば花柄等の模様を、アクリル絵の具等の塗料を用いてブラシ等の適宜の道具により描く（図１）。
この模様は、一色の塗料で描いてもよいし複数の異なる色で描いてもよい。また、塗料を薄く塗って描いても良いし、重ね塗りをして、厚みを持たせた模様としてもよい。
上記アクリル絵の具は、速乾性，耐水性を有するもので被覆力，接着力に優れ、不透明でムラのない模様を描くのに適したものである。
【００１５】
模様を描いた後、５分〜１５分程度（薄塗りの場合）静置して塗料を乾燥させる。その塗料は、乾燥させると硬化して塗料層５…を形成する。
【００１６】
なお、上記模様を描く前に、外骨格表面に、いわゆるベースコートを下塗りすることは避けるのが好ましい。ベースコートは、通常、酢酸ブチル，トルエン，酢酸エチル，イソプロパノール等の成分を含み臭気が強いので、カブトムシを弱らせてしまうからである。
【００１７】
＜手順３：つや出し層の形成＞
従来公知の無色透明のつや出し剤を、上記塗料層５…の上に塗布し、所定時間静置して乾燥させる。このつや出し剤を乾燥させ硬化させることにより、上記塗料層５…を被覆するつや出し層６が形成される。
上記つや出し剤としては、無色のものでなく有色で透明のものを用いることもできる。
なお、つや出し剤は、少なくとも上記塗料層５…の上に塗布すればよいが、該塗料層５…の上だけでなく、たとえば外骨格表面の全体に塗布してもよい。
またつや出し層６が必要ない場合には、このつや出しの手順自体を省略してもよい。
【００１８】
＜手順４：保護被膜層の形成＞
従来公知の無色透明の保護被膜形成剤を、上記つや出し層６の上に塗布し、所定時間静置してこれを乾燥させる（図３）。なお、上記つや出し層６を省略した場合には、塗料層５…の上に直接塗布する（図４）。
この保護皮膜形成剤を、乾燥させ硬化させると、上記塗料層５…（およびつや出し層６）を被覆する保護被膜層７が形成され、これによって、カブトムシＡの模様づけが完了する（図２）。
【００１９】
上記保護被膜層７は、上記塗料層５…を被覆して、該塗料層５…剥がれたり割れたりしないように保護するものであるが、上記保護被膜形成剤は、塗料層５…（およびつや出し層６）の上だけに塗布してもよいし、外骨格表面の全体に塗布して、より広い範囲を保護被膜層７で被覆するようにしても良い。
【００２０】
図５のＡ′は、図１〜４に示したものとは異なる模様として、塗りつぶしたハートの模様および複数の点をハート形に並べた模様を描いた雌のカブトムシである。
それらは、アクリル絵の具等の塗料を用いて上記と同様にして模様づけしたものであるので、その模様づけ方法の説明は省略する。
【００２１】
上記のカブトムシＡ，Ａ′は、いずれも外骨格表面の上翅部４，４にのみ模様づけをしているものであるが、図６に示すカブトムシＡ″のように、上翅部４，４の他、さらに前胸背板部２に模様を描いてもよい。その方法は上記と同様であるので、説明を省略する。
また、図示しないが、さらに頭角部１にも模様づけできること明らかである。
【実施例２】
【００２２】
上記ではカブトムシＡ，Ａ′，Ａ″に模様づけをした例につき説明したが、同様の方法で、クワガタムシにも模様づけをすることができること明らかである。
【００２３】
クワガタムシの外骨格は、大あご部８，８，頭部９，前胸背板部１０，小盾板部１１および上翅部１２，１２等からなり（図７，８）、それはカブトムシの外骨格と同様に茶褐色や黒褐色を呈し、また、表面は多少の油分で被覆された状態になっている。
【００２４】
図７に示したのは、頭部９，前胸背板部１０および上翅部１２，１２に、多数の花の模様および同じく多数の葉の模様を描いたクワガタムシＢである。
その模様づけ方法は、上記実施例１と同様であるので説明を省略する。
【００２５】
図８に、他の模様を描いたクワガタムシＢ′を示す。
このクワガタムシＢ′には、大あご８，８から、頭部９，前胸背板１０，小盾板１１および上翅部１２，１２にかけて、縞模様を描いてある。
その縞模様は、所定間隔をおいて塗料（たとえば白と黄色等の塗料）で引いたライン１３…と、クワガタムシの外骨格表面の茶褐色等の色が表出している部分１４…とによって形成されているものである。
その模様づけ方法も、上記実施例１と同様であるので説明を省略する。
【産業上の利用可能性】
【００２６】
同様にして、複数の文字からなる標語，スローガン等を模様として描くこともできる（図示しない）。
【図面の簡単な説明】
【００２７】
【図１】カブトムシに模様を描いている途中の平面図である。
【図２】上記の模様が完成した状態の平面図である。
【図３】図２のI-I線拡大断面図である。
【図４】つや出し層を省略した場合の図２のI-I線拡大断面図である。
【図５】他の模様を描いたカブトムシの平面図である。
【図６】さらに他の模様を描いたカブトムシの平面図である。
【図７】模様を描いたクワガタムシの平面図である。
【図８】他の模様を描いたクワガタムシの平面図である。
【符号の説明】
【００２８】
Ａ，Ａ′，Ａ″  カブトムシ
Ｂ，Ｂ′        クワガタムシ
１        頭角部
２，１０  前胸背板部
３，１１  小盾板部
４，１２  上翅部
５        塗料層
６        つや出し層
７        保護被膜層
８        大あご部
９        頭部  
【図１】
2005052064.tif 000003
【図２】
2005052064.tif 000004
【図３】
2005052064.tif 000005
【図４】
2005052064.tif 000006
【図５】
2005052064.tif 000007
【図６】
2005052064.tif 000008
【図７】
2005052064.tif 000009
【図８】
2005052064.tif 000010